(57)【要約】      （修正有）【課題】適切な位置で固定して、想定される荷重に耐えられるようにして、効果が最大に発揮できる可動式防波堤補助支柱を提供する。【解決手段】材料費を節減するために軽質材を使い、軽質材が浸水時に浮き上がる特性を利用して浸水方向と垂直に立ち上がらせ、浸水方向に対しては、その浸水における荷重（主と後から押し寄せる波を防止するための荷重）に耐えられるようにして、可動式防波設備の効果を最大に発揮させる。通常時に、人や車の通行の邪魔にならないように、又、災害時の視界を遮る事はないように、地面に伏せたり、壁面に沿わせて設置させる。【選択図】図２
2015007361.tif 000002
【特許請求の範囲】
【請求項１】
丈夫な軽質材の柱で作成した、可動式防波堤設備を支える支柱であり、その一端に軸構造を設置し、それを地中などに固定させ、地上などに伏せて設置したもので、津波などが浸水してきた時に、その水中に入って、浮力で、浸水方向に対して垂直方向に立ち上がり、その位置で、他の可動式津波防止設備などの浸水方向への動きを抑える役目を果たすことを特徴とする可動式防波堤補助支柱。
【請求項２】
丈夫な軽質材の柱で作成した、可動式防波堤設備を支える支柱であり、その一端に軸構造を設置し、それを水底などに固定させ、水中に傾けて設置したもので、津波などが浸水してきた時に、その高くなった水深の中で、浮力で、浸水方向に対して垂直方向に移動し、その位置で、他の可動式津波防止設備などの浸水方向への動きを抑える役目を果たすことを特徴とする可動式防波堤補助支柱。
【請求項３】
丈夫な軽質材の柱で作成した支柱に、防波用の木材板や扉形状のものを併設したものであり、支柱の一端に軸構造を設置し、それを地中などに固定させ、地上などに伏せて設置たもので、津波などが浸水してきた時に、その水中に入って、浮力で、浸水方向に対して垂直方向に立ち上がり、防波用の木材板や扉形状のものを水平方向に展開し、防波堤効果の役目を果たすことを特徴とする可動式防波堤補助支柱。
【発明の詳細な説明】
【技術分野】
【０００１】可動式の防波堤設備などを支える補助支柱で、浸水を検知して可動する機構に関するものである。
【背景技術】
【０００２】可動式の防波堤設備は、最も防波効果が高い位置で保持し、想定される荷重に耐えることが重要である。  固定式の補助支柱では、これらを確実に行えるが、可動式防波堤の利点（通常時に人や車の動きの邪魔にならない）を損なってしまう。
【先行技術文献】
【０００３】
【特許文献１】特許第５２０７９９１号  （当特許申請を必要とする先行特許として）
【発明の概要】
【発明が解決しようとする課題】
【０００４】可動式の防波設備（例えば、特許第５２０７９９１号で申請された可動式津波緩衝堰）の効果は、適切な位置で固定して、想定される荷重に耐えないと、効果が十分に発揮されない。
【課題を解決するための手段】
【０００５】材料費を節減するために軽質材を使い、軽質材が浸水時に浮き上がる特性を利用して浸水方向と垂直に立ち上がらせ、浸水方向に対しては、その浸水における荷重（主と後から押し寄せる波を防止するための荷重）に耐えられるようにして、可動式防波設備の効果を最大にすることを考案した。通常時に、人や車の通行の邪魔にならないように、又、災害時の視界を遮る事はないように、地面に伏せたり、壁面に沿わせて設置させる。
【発明の効果】
【０００６】当発明では、軽質で環境に優しい材料として主に木材を使うので、安価な材料費、工事費で済む。  この装置は可動式であり、通常時は地面に伏せたり、壁面に沿わせて設置しているので、人や車の通行の邪魔にならず、津波が押し寄せて来た時に、押し寄せる水を感知し、その力で、波の方向と垂直方向に立ち上がり、浸水方向に対しては、その浸水における荷重（主と後から押し寄せる波を防止するための荷重）に耐えられるような強度を持たせ、可動式防波設備の効果を最大にすることを考案した。地面に伏せたり、壁面に沿わせて設置しているので、通常時は人や車の通行の邪魔にならず、景勝地では景色を阻害しないし、災害時の視界を遮る事はない。逆に、災害時に（津波などの侵入に対して）立ち上がるので、災害の状況を知らせる機能を持つ。
【図面の簡単な説明】
【０００７】
【図１】図１は、本発明の構造体図である。
【図２】図２は、本発明の構造体の陸上での設置図及び動作図である。
【図３】図３は、本発明の構造体の水中での設置図及び動作図である。
【図４】図４は、本発明で、津波防止効果を持たせた場合の設置図及び動作図である。
【発明を実施するための形態】
【０００８】構造物は、「補助支柱」とそれを浸水方向と垂直に浮かび上がらせる「軸受け部」で構成される。補助支柱は、木など軽質材の柱で、浸水方向の荷重が高い場合には、それをサポートする柱を追加し、メインの補助支柱と同じ回転方向で立ち上がるように軸受けを設置する。主として、地上式の可動式防波設備の補助に活用する他、水中式の可動式防波設備の補助にも活用する。  更には、自身に波防止版などを付帯させ、自身が浮かび上がった後に、それらを展開させて、防波堤効果を持たせる。
【符号の説明】
【０００９】１．防波補助支柱：軽質材の柱で、軸受け部で固定され、浸水方向と垂直に立ち上がり、          可動式防波設備を支える。
２．支柱軸受け部：補助支柱を浸水方向と垂直に立ち上がらせ、可動式防波設備、及び防          波補助支柱が、浸水方向に受ける荷重を耐える強度を持つ。
３．サポート柱：防波補助支柱をサポートし、併せて可動式防波設備を支える。防波補助          支柱と同軸の軸受け部を持ち、同時に立ち上がる。
【図１】
2015007361.tif 000003
【図２】
2015007361.tif 000004
【図３】
2015007361.tif 000005
【図４】
2015007361.tif 000006
【手続補正書】
【提出日】平成26年7月21日(2014.7.21)
【手続補正１】
【補正対象書類名】特許請求の範囲
【補正対象項目名】全文
【補正方法】変更
【補正の内容】
【特許請求の範囲】
【請求項１】
丈夫な軽質材の柱で作成した、可動式防波堤設備を支える支柱であり、その一端に軸構造を設置し、それを地中などに固定させ、地上などに伏せて設置したもので、津波などが浸水してきた時に、その水中に入って、浮力で、水平面に対して垂直方向に立ち上がり、その位置で、他の可動式津波防止設備などの浸水方向への動きを抑える役目を果たすことを特徴とする可動式防波堤補助支柱。
【請求項２】
丈夫な軽質材の柱で作成した、可動式防波堤設備を支える支柱であり、その一端に軸構造を設置し、それを水底などに固定させ、浅い水深の水中に漂う形で傾けて設置したもので、津波などが浸水してきた時に、その高くなった水深の中で、浮力で、水平面に対して垂直方向に移動し、その位置で、他の可動式津波防止設備などの浸水方向への動きを抑える役目を果たすことを特徴とする可動式防波堤補助支柱。
【請求項３】
丈夫な軽質材の柱で作成した支柱に、津波防止板などの防波用構造体を併設したものであり、支柱の一端に軸構造を設置し、それを地中などに固定させ、地上などに伏せて設置したもので、津波などが浸水してきた時に、その水中に入って、浮力で、水平面に対して垂直方向に立ち上がり、同時に津波防止板などを浸水方向に垂直に展開し、防波堤効果の役目を果たすことを特徴とする可動式防波堤補助支柱。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
丈夫な軽質材の柱で作成した支柱であり、その一端に軸構造を設置し、それを地面や壁面の中に固定させ、地面や壁面に伏せて設置したもので、津波などが浸水してきた時に、その水中に入って、浮力で、浸水方向に対して垂直方向に立ち上がり、その位置で、可動式津波防止設備などの当支柱で補助する設備の浸水方向への動きを抑える役目を果たすことを特徴とする可動式防波堤補助支柱。
【請求項２】
丈夫な軽質材の柱で作成した支柱であり、その一端に軸構造を設置し、それを水底に固定させ、浅い水深の水中に漂う形で傾けて設置したもので、津波などが浸水してきた時に、その高くなった水深の中で、浮力で、浸水方向に対して垂直方向に移動し、その位置で、可動式津波防止設備などの当支柱で補助する設備の浸水方向への動きを抑える役目を果たすことを特徴とする可動式防波堤補助支柱。
【請求項３】
丈夫な軽質材の柱で作成した支柱に、津波防止板などの防波用構造体を併設したものであり、支柱の一端に軸構造を設置し、それを地面や壁面の中に固定させ、地面や壁面に伏せて設置したもので、津波などが浸水してきた時に、その水中に入って、浮力で、浸水方向に対して垂直方向に立ち上がり、同時に防波用構造体を浸水方向に垂直に展開し、防波堤効果の役目を果たすことを特徴とする可動式防波堤補助支柱。
【手続補正２】
【補正対象書類名】明細書
【補正対象項目名】０００３
【補正方法】変更
【補正の内容】
【０００３】
【特許文献１】特許第５２０７０９１号  （当特許申請を必要とする先行特許として）
【手続補正３】
【補正対象書類名】明細書
【補正対象項目名】０００４
【補正方法】変更
【補正の内容】
【０００４】
可動式の防波設備（例えば、特許第５２０７０９１号で申請された可動式津波緩衝堰）の効果は、適切な位置で固定して、想定される荷重に耐えないと、効果が十分に発揮されない。